(57)【要約】【課題】一種類の端子台上で多様な方式の配設接続を実現することが可能な端子アタッチメントを提供する。【解決手段】ネジ部１１の一端に台座１２およびラッピング端子１３を備えたラッピング端子アタッチメント１０を提供する。ネジ部１１を介してネジ止め端子台に、配線ネジと同様に螺着することにより、ネジ止め端子台の上でラッピング端子１３を用いたラッピング配線を実現でき、ネジ止め端子台を用いて多様な配線接続を実現できる。【選択図】図１
2008130309.tif 000002
【特許請求の範囲】
【請求項１】
ネジ止め端子台に螺合するネジ部と、前記ネジ部の一端に設けられたラッピング端子と、前記ネジ部と前記ラッピング端子との間に設けられ、多角形または非真円の輪郭を有する台座部と、を含むことを特徴とする端子アタッチメント。
【請求項２】
ネジ止め端子台に螺合するネジ部と、前記ネジ部の一端に設けられた半田付け端子と、前記ネジ部と前記半田付け端子との間に設けられ、多角形または非真円の輪郭を有する台座部と、を含むことを特徴とする端子アタッチメント。
【請求項３】
軸体と、
前記軸体の一端に設けられ、ネジ部と端子部とが同軸に設けられた端子アタッチメントに対して前記端子部側から嵌合し、前記端子部が収容される深さの空洞部を有する嵌合穴と、
前記軸体の他端部に設けられ、所望の回動工具が嵌合する締結溝部と、
を含むことを特徴とする端子アタッチメント用ネジ止めアダプタ。
【発明の詳細な説明】
【技術分野】
【０００１】
本発明は、端子アタッチメント、端子アタッチメント用ネジ止めアダプタに関し、たとえば、現場作業にて電子装置内の端子台に配線接続を行う際に、多様な配線接続技術を利用可能な端子アタッチメント等に適用して有効な技術に関するものである。
【背景技術】
【０００２】
装置内の端子台における配線接続の方法としては、一般に次の３種類が多く用いられている。
すなわち、（１）ネジ頭部と基板との間で配線を挟圧して固定するネジ止め、（２）端子に配線を巻回して固定するラッピング、（３）端子と配線とを半田によって接続する半田付け、である。
【０００３】
従来では、装置内の端子台に配線接続を行う際、装置外の外線ケーブル側にネジ止め、ラッピング、半田付けの３種類の接続形態が必要である場合には、それぞれの接続携帯に専用の各種の端子台を設ける必要があった。
【０００４】
更にそれぞれの端子の種類に応じた工具を用意する必要があった。
端子台の中でも一般に広く普及しているのはネジ止め端子台であるが、ネジ止め端子では、他の方法での配線接続には使えない。このため、ラッピングや半田付けとの組み合わせで配線接続を行う場合、端子接続数の多少に関わらず、それぞれの形態に対応した専用の端子台を設置する必要があり、配線工程のコスト及び工数アップや、端子台の占有スペースの増大により実装スペースの確保が困難になる、等の技術的課題があった。
【０００５】
また、各端子台に配線を接続する際、各端子台毎に適切な工具が必要であり、現場では必要、不必要に関わらず、多様な工具を、現場合わせでの対応が可能なように用意せざるをえない、という技術的課題もあった。
【０００６】
特許文献１には、ラッピングピンの一部にネジ部を設け、端子台のネジ穴に螺合させて固定することにより、ラッピングピンの折損時等の交換を容易化する技術が開示されているが、ラッピング接続専用であり、上述のような技術的課題や、その解決手段は開示されていない。
【０００７】
同様に、特許文献２には、棒状体の両端部の各々に角穴と、当該角穴とは異なる形状の、回動工具が嵌合する穴を設けたネジ回動用アダプタが開示されているが、角穴の深さ等には配慮がなく、ネジ部の一端に比較的長い突起形状を有するネジ等の締結には適用が困難である。
【特許文献１】特開平５−３２６０５１号公報
【特許文献２】特開平１１−４２５６７号公報
【発明の開示】
【発明が解決しようとする課題】
【０００８】
本発明の目的は、一種類の端子台上で多様な方式の配設接続を実現することが可能な端子アタッチメントを提供することにある。
本発明の他の目的は、共通の回動工具を多様な配設接続に利用することが可能な端子アタッチメント用ネジ止めアダプタを提供することにある。
【課題を解決するための手段】
【０００９】
本発明の第１の観点は、ネジ止め端子台に螺合するネジ部と、前記ネジ部の一端に設けられたラッピング端子と、前記ネジ部と前記ラッピング端子との間に設けられ、多角形または非真円の輪郭を有する台座部と、を含む端子アタッチメントを提供する。
【００１０】
本発明の第２の観点は、ネジ止め端子台に螺合するネジ部と、前記ネジ部の一端に設けられた半田付け端子と、前記ネジ部と前記半田付け端子との間に設けられ、多角形または非真円の輪郭を有する台座部と、を含む端子アタッチメントを提供する。
【００１１】
本発明の第３の観点は、軸体と、
前記軸体の一端に設けられ、ネジ部と端子部とが同軸に設けられた端子アタッチメントに対して前記端子部側から嵌合し、前記端子部が収容される深さの空洞部を有する嵌合穴と、
前記軸体の他端部に設けられ、所望の回動工具が嵌合する締結溝部と、
を含む端子アタッチメント用ネジ止めアダプタを提供する。
【００１２】
本発明の端子アタッチメントによれば、ネジ端子のように市販のネジ止め端子台に取り付けることが可能なラッピング端子や、半田付け端子等の多様な配線接続構造を実現できる。但し、ラッピング端子、半田付け端子に限定するものではない。
【００１３】
また、本発明の端子アタッチメント用ネジ止めアダプタによれば、共通の回動工具を用いて、ネジ止め端子、ラッピング端子、半田付け端子の締結を行うことができる。
【発明の効果】
【００１４】
本発明によれば、一種類の端子台上で多様な方式の配設接続を実現することが可能な端子アタッチメントを提供することができる。
また、共通の回動工具を多様な配設接続に利用することが可能な端子アタッチメント用ネジ止めアダプタを提供することができる。
【発明を実施するための最良の形態】
【００１５】
以下、図面を参照しながら、本発明の実施の形態について詳細に説明する。
図１および図２は、本発明の実施の形態である端子アタッチメントの構成例を示す斜視図である。図３は、本発明の一実施の形態である端子アタッチメントのネジ止め端子台への実装例を示す斜視図である。図４は、本発明の一実施の形態である端子アタッチメント用ネジ止めアダプタの斜視図、図５は、端子アタッチメント用ネジ止めアダプタの使用例を示す斜視図である。
（１）端子アタッチメント
図１に例示される本実施の形態のラッピング端子アタッチメント１０は、導体からなるネジ部１１の一端に導体からなるラッピング端子１３をほぼ同軸に設けた構成となっており、ネジ部１１とラッピング端子１３の間には、四角形の台座１２が設けられている。ラッピング端子１３の端部には、ラッピング端子１３に巻回される図示しない配線が軸方向に移動して脱落することを防止するための抜け止め突起１４が設けられている。
【００１６】
この場合、台座１２を含めたラッピング端子１３の高さは、ラッピング端子高さｈ１、となっている。
台座１２は、後述の端子アタッチメント用ネジ止めアダプタ４０を嵌合させてネジ部１１を回動させるために用いられる。
【００１７】
台座１２およびラッピング端子１３は、たとえばネジ部１１の頭部を成形することで当該ネジ部１１と一体に形成してもよいし、接着や溶接等の方法で結合した構成でもよい。
図２に例示される本実施の形態の半田付け端子アタッチメント２０は、導体からなるネ
ジ部２１の一端に導体からなる半田付け端子２３をほぼ同軸に設けた構成となっており、ネジ部２１と半田付け端子２３の間には、四角形の台座２２が設けられている。半田付け端子２３の端部には、当該半田付け端子２３にハンダ付けされる図示しない配線が挿通されるワイヤ挿通孔２４が設けられている。
【００１８】
この場合、台座２２を含めた半田付け端子２３の高さは、ハンダ付け端子高さｈ２、となっている。
台座２２は、後述の端子アタッチメント用ネジ止めアダプタ４０を嵌合させてネジ部２１を回動させるために用いられる。
【００１９】
台座２２および半田付け端子２３は、たとえばネジ部２１の頭部を成形することで当該ネジ部２１と一体に形成してもよいし、接着や溶接等の方法で結合した構成でもよい。
本実施の形態のラッピング端子アタッチメント１０、半田付け端子アタッチメント２０等の端子アタッチメントの導入によって、図３に例示されるように、３種類の端子による多様な配線接続を１つのネジ止め端子台３０の上で行うことが可能になる。
【００２０】
すなわち、ネジ止め端子台３０は、端子基板３１と、この端子基板３１に穿設された複数のネジ穴３２と、個々のネジ穴３２の間を隔てるように配置された複数の絶縁隔壁３３を備えている。
【００２１】
そして、ネジ穴３２に螺合する配線ネジ３４によって、図示しない配線を、端子基板３１との間で挟圧して固定することにより、配線接続が可能となっている。
配線ネジ３４の頂部には、十字穴３４ａが刻設されており、この十字穴３４ａに後述の回動工具５０の十字ビット５１を嵌合させて回動させることにより、配線ネジ３４の端子基板３１に対する着脱が行われる。
【００２２】
本実施の形態の場合には、このネジ止め端子台３０のネジ穴３２に、ラッピング端子アタッチメント１０のネジ部１１を螺合させて配置することにより、ネジ止め端子台３０の上で、ラッピング端子１３を使用したラッピングによる配線接続が可能になる。
【００２３】
同様に、ネジ穴３２に半田付け端子アタッチメント２０のネジ部２１を螺合させることにより、ネジ止め端子台３０の上で、半田付け端子２３、ワイヤ挿通孔２４を利用した半田付けによる配線接続が可能になる。
【００２４】
これにより、ネジ止め端子台３０の他に、ラッピングやハンダ付けの配線に専用に別個に端子台を用意する必要がなくなる。
（２）端子アタッチメント用ネジ止めアダプタ
本実施の形態のラッピング端子アタッチメント１０、半田付け端子アタッチメント２０の頭部は後述の回動工具５０の先端部の十字ビット５１に嵌合する嵌合溝がなく、それ単体ではネジ止め端子台３０等に螺合するために、回動工具５０に係合させる手段がない。
【００２５】
このため、本実施の形態の場合には、ラッピング端子アタッチメント１０、半田付け端子アタッチメント２０をネジ止め端子台３０に取り付ける際には、図４のような専用の端子アタッチメント用ネジ止めアダプタ４０を用いる。
【００２６】
この端子アタッチメント用ネジ止めアダプタ４０は、棒状の本体軸４１の上端に十字穴４２が刻設され、下端部には、端子嵌合穴４３が設けられている。
また、本実施の形態の端子アタッチメント用ネジ止めアダプタ４０は、あらゆる形状の端子アタッチメントに適用可能とするために、端子嵌合穴４３には、軸方向に空洞深さｈ０で穿設された端子空洞４４が設けられている。
【００２７】
端子嵌合穴４３は、ラッピング端子アタッチメント１０、半田付け端子アタッチメント２０における台座１２、台座１２と丁度嵌合する寸法に設定されている。
上述の空洞深さｈ０は、上述のラッピング端子アタッチメント１０のラッピング端子高さｈ１、半田付け端子アタッチメント２０のハンダ付け端子高さｈ２のいずれよりも大きく設定されている。
【００２８】
また、端子空洞４４の径方向の寸法は、ラッピング端子１３および半田付け端子２３の最大幅寸法よりも十分に大きく設定されている。
これにより、端子アタッチメント用ネジ止めアダプタ４０は、端子空洞４４の内部にラッピング端子アタッチメント１０または半田付け端子アタッチメント２０、ラッピング端子１３または半田付け端子２３を、余裕をもって非接触に収容した状態で、端子嵌合穴４３が台座１２または台座２２に嵌合することが可能となっている。
【００２９】
そして、上述のように端子アタッチメント用ネジ止めアダプタ４０の頂部には十字穴４２が形成されており、この端子アタッチメント用ネジ止めアダプタ４０を、ラッピング端子アタッチメント１０または半田付け端子アタッチメント２０に被せて、台座１２または台座２２に嵌合させることで、端子アタッチメント用ネジ止めアダプタ４０と、ラッピング端子アタッチメント１０または半田付け端子アタッチメント２０が一体となって、回動工具５０の十字ビット５１によって回転駆動できる状態になる。
【００３０】
これを図５のように、先端に十字ビット５１を備えたドライバー等の回動工具５０を用いてネジ止め端子台３０に取り付ける。
すなわち、端子アタッチメント用ネジ止めアダプタ４０を用いることで、ラッピング端子アタッチメント１０、半田付け端子アタッチメント２０のネジ止め端子台３０に対する取付作業を、ネジ止め端子台３０の本来の配線ネジ３４の取付作業と共通な回動工具５０を用いて行うことが可能になる。
【００３１】
このため、回動工具５０以外に、ラッピング端子アタッチメント１０や半田付け端子アタッチメント２０に専用の工具を用意する必要がなくなる。
以上説明した用に、本実施の形態によれば、上記の構成によって、下記の効果を奏する。
【００３２】
すなわち、ネジ止め端子台３０を使用して、通常の配線ネジ３４を用いた配線接続の他に、ラッピング端子アタッチメント１０、半田付け端子アタッチメント２０等を用いた、ラッピングによる配線接続、半田付けによる配線接続等の多様な配線接続が可能となる。
【００３３】
このため、ネジ止め端子台３０とは別にラッピングまたは半田付け専用の端子台を設置する必要がなく、必要最低限必要なネジ止め端子台３０の設置数量で済むことから、装置の配線接続関係のコストダウンや工数削減と共に、端子台の占有スペースの縮小により、端子台を搭載する電子装置等の筐体の小型化を実現できる。
【００３４】
また、本実施の形態の端子アタッチメント用ネジ止めアダプタ４０を用いることにより、ラッピング端子アタッチメント１０、半田付け端子アタッチメント２０のネジ止め端子台３０に対する着脱作業を、ネジ止め端子台３０に通常用いられる配線ネジ３４と共通な回動工具５０を用いて行うことができ、様々な回動工具を用意する必要がなくなる。
【００３５】
この結果、ネジ止め端子台３０を用いた配線接続工程の作業効率が向上する。
なお、本発明は、上述の実施の形態に例示した構成に限らず、その趣旨を逸脱しない範囲で種々変更可能であることは言うまでもない。
【００３６】
たとえば、台座１２や台座２２の形状は、四角形に限らず、六角形や、楕円等の非真円のように、端子アタッチメント用ネジ止めアダプタ４０に対して空転することなく嵌合して回転力を伝達することが可能な形状であれば、どのような形状でもよい。
【図面の簡単な説明】
【００３７】
【図１】本発明の実施の形態である端子アタッチメントの構成例を示す斜視図である。
【図２】本発明の実施の形態である端子アタッチメントの構成例を示す斜視図である。
【図３】本発明の一実施の形態である端子アタッチメントのネジ止め端子台への実装例を示す斜視図である。
【図４】本発明の一実施の形態である端子アタッチメント用ネジ止めアダプタの斜視図である。
【図５】端子アタッチメント用ネジ止めアダプタの使用例を示す斜視図である。
【符号の説明】
【００３８】
１０      ラッピング端子アタッチメント
１１      ネジ部
１２      台座
１３      ラッピング端子
１４      抜け止め突起
２０      半田付け端子アタッチメント
２１      ネジ部
２２      台座
２３      半田付け端子
２４      ワイヤ挿通孔
３０      ネジ止め端子台
３１      端子基板
３２      ネジ穴
３３      絶縁隔壁
３４      配線ネジ
３４ａ      十字穴
４０      端子アタッチメント用ネジ止めアダプタ
４１      本体軸
４２      十字穴
４３      端子嵌合穴
４４      端子空洞
５０      回動工具
５１      十字ビット
ｈ０      空洞深さ
ｈ１      ラッピング端子高さ
ｈ２      ハンダ付け端子高さ
【図１】
2008130309.tif 000003
【図２】
2008130309.tif 000004
【図３】
2008130309.tif 000005
【図４】
2008130309.tif 000006
【図５】
2008130309.tif 000007